(57)【要約】  【課題】  複数の色の構成要素からなる画像情報を自動的に色毎の複数の画像情報に分版して孔版印刷装置に出力する分版用ソフトウェアより画像情報に対し分版処理を施す場合において、画像情報における構成要素同志が重なりあっているような場合でも構成要素毎に色を割り当て、適切な分版処理を行う。  【解決手段】  編集用ソフトウェアから出力された画像情報に画像情報処理プログラムにより属性抽出処理を施して画像情報を構成する構成要素の属性を示す属性データを画像情報から抽出し、その属性データと上記構成要素を表す画像データとを別個に生成し、上記属性データ（ａｔｒファイル）と上記画像データ（ｐｒｎファイル）に基づいて分版用ソフトウェアにおいて構成要素毎の色の割当てを行う。【選択図】          図１
2006050120.tif 000002
【特許請求の範囲】
【請求項１】
画像情報に基づいて該画像情報を構成する構成要素の属性を示す属性データを前記画像情報から抽出して前記属性データと前記構成要素を表す画像データとを別個に生成する属性抽出処理を前記画像情報に施すことを特徴とする画像情報処理方法。
【請求項２】
前記属性データと前記画像データとを、前記属性データと前記画像データとを用いて前記画像情報を再編集可能なものとして生成することを特徴とする請求項１記載の画像情報処理方法。
【請求項３】
前記属性データと前記画像データとを用いて前記画像データの前記構成要素毎に色を割り当て、
該割り当てられた色毎に前記画像データを分ける分版処理を前記画像データに施すことを特徴とする請求項２記載の画像情報処理方法。
【請求項４】
前記画像情報が、前記画像情報を編集する複数種類の画像編集手段から出力されたものであることを特徴とする請求項１から３いずれか１項記載の画像情報処理方法。
【請求項５】
前記属性抽出処理を、前記画像情報が編集される画像編集手段のプラグインにおいて行うことを特徴とする請求項１から４いずれか１項記載の画像情報処理方法。
【請求項６】
前記属性抽出処理を、前記画像情報の画像形成を行う画像形成手段のドライバにおいて行うことを特徴とする請求項１から４いずれか１項記載の画像情報処理方法。
【請求項７】
前記複数種類の画像編集手段のうちの一部の画像編集手段から出力された画像情報には該一部の画像編集手段のプラグインにおいて前記属性抽出処理を施すとともに、該一部以外の画像編集手段から出力された画像情報には前記画像情報の画像形成を行う画像形成手段のドライバにおいて前記属性抽出処理を施すことを特徴とする請求項４記載の画像情報処理方法。
【請求項８】
前記属性データが、前記属性抽出処理においてファイル形式で抽出されることを特徴とする請求項１から７いずれか１項記載の画像情報処理方法。
【請求項９】
前記画像データが、前記属性抽出処理においてファイル形式で生成されることを特徴とする請求項１から８いずれか１項記載の画像情報処理方法。
【請求項１０】
画像情報に基づいて該画像情報を構成する構成要素の属性を示す属性データを前記画像情報から抽出して前記属性データと前記構成要素を表す画像データとを別個に生成する属性抽出処理を前記画像情報に施す属性データ抽出手段を備えたことを特徴とする画像情報処理装置。
【請求項１１】
前記属性データ抽出手段が、前記属性データと前記画像データとを、前記属性データと前記画像データとを用いて前記画像情報を再編集可能なものとして生成するものであることを特徴とする請求項１０記載の画像情報処理装置。
【請求項１２】
前記属性データと前記画像データとを用いて前記画像データの前記構成要素毎の色の割当てを可能にする色割当手段と、
前記色割当手段により割り当てられた色毎に前記画像データを分ける分版処理を前記画像データに施す分版処理手段とをさらに備えたことを特徴とする請求項１１記載の画像情報処理装置。
【請求項１３】
前記画像情報が、前記画像情報を編集する複数種類の画像編集手段から出力されたものであることを特徴とする請求項１０から１２記載の画像情報処理装置。
【請求項１４】
前記属性データ抽出手段が、前記画像情報の画像形成を行う画像形成手段のドライバに設けられていることを特徴とする請求項１０から１３いずれか１項記載の画像情報処理装置。
【請求項１５】
前記属性データ抽出手段が、前記画像情報が編集される画像編集手段のプラグインであることを特徴とする請求項１０から１３いずれか１項記載の画像情報処理装置。
【請求項１６】
前記属性データ抽出手段が、前記複数種類の画像編集手段のうちの一部の画像編集手段から出力された画像情報に前記属性抽出処理を施す第１の属性データ抽出部と前記一部以外の画像編集手段から出力された画像情報に前記属性抽出処理を施す第２の属性データ抽出部とを有し、
前記第１の属性データ抽出部が、前記一部の画像編集手段のプラグインであるとともに、
前記第２の属性データ抽出部が、前記画像情報の画像形成を行う画像形成手段のドライバに設けられていることを特徴とする請求項１３記載の画像情報処理装置。
【請求項１７】
前記属性データが、前記属性抽出処理においてファイル形式で抽出されることを特徴とする請求項１０から１６いずれか１項記載の画像情報処理装置。
【請求項１８】
前記画像データが、前記属性抽出処理においてファイル形式で生成されることを特徴とする請求項１０から１７いずれか１項記載の画像情報処理装置。
【請求項１９】
画像情報に基づいて該画像情報を構成する構成要素の属性を示す属性データを前記画像情報から抽出して前記属性データと前記構成要素を表す画像データとを別個に生成する属性抽出処理を前記画像情報に施す手順をコンピュータに実行させることを特徴とする画像情報処理プログラム。
【請求項２０】
前記属性抽出処理が、前記属性データと前記画像データとを、前記属性データと前記画像データとを用いて前記画像情報を再編集可能なものとして生成する処理であることを特徴とする請求項１９記載の画像情報処理プログラム。
【請求項２１】
前記属性データと前記画像データとを用いて前記画像データの前記構成要素毎の色を割当てを可能にする手順と、
前記割り当てられた色毎に前記画像データを分ける分版処理を前記画像データに施す手順とをさらにコンピュータに実行させることを特徴とする請求項２０記載の画像情報処理プログラム。
【請求項２２】
前記画像情報が、前記画像情報を編集する複数種類の画像編集手段から出力されたものであることを特徴とする請求項１９から２１いずれか１項記載の画像情報処理プログラム。
【請求項２３】
前記属性抽出処理が、コンピュータにおける前記画像情報の画像形成を行う画像形成手段のドライバで実行される処理であることを特徴とする請求項１９から１２いずれか１項記載の画像情報処理プログラム。
【請求項２４】
前記属性抽出処理が、コンピュータにおける前記画像情報が編集される画像編集手段のプラグインで実行される処理であることを特徴とする請求項１９から２２いずれか１項記載の画像情報処理プログラム。
【請求項２５】
前記属性抽出処理が、コンピュータにおける前記画像情報が編集される画像編集手段のプラグインと前記画像情報の画像形成を行う画像形成手段のドライバとで実行される処理であり、
前記複数種類の画像編集手段のうちの一部の画像編集手段から出力された画像情報には該一部の画像編集手段のプラグインにおいて前記属性抽出処理を施すとともに、該一部以外の画像編集手段から出力された画像情報には該画像情報の画像形成を行う画像形成手段のドライバにおいて前記属性抽出処理を施す手順をコンピュータに実行させることを特徴とする請求項２２記載の画像情報処理プログラム。
【請求項２６】
前記属性データが、前記属性抽出処理においてファイル形式で抽出されることを特徴とする請求項１９から２５いずれか１項記載の画像情報処理プログラム。
【請求項２７】
前記画像データが、前記属性抽出処理においてファイル形式で生成されることを特徴とする請求項１９から２６いずれか１項記載の画像情報処理プログラム。
【発明の詳細な説明】
【技術分野】
【０００１】
本発明は、画像情報処理方法および装置並びに画像情報処理プログラムに関するものである。
【背景技術】
【０００２】
近年、文字や画像などから構成される画像情報を編集する編集用ソフトウェアが種々提案されている。そして、上記のような編集用ソフトウェアを使用して編集された画像情報は、プリンタや孔版印刷装置などに出力されることにより印字または印刷が可能である。
【０００３】
一方、上記のような編集用ソフトウェアを使用して編集された画像情報に基づいた複数の版を使用した孔版多色印刷をする際、以前は、予め製版したい色の複数の版に版分けされた複数の画像情報を作成するいわゆる分版作業を、製版に先立って作業者自身が行う必要があり、この作業が熟練していない作業者にとって非常な負担になっていた。
【０００４】
よって、作業者の利便性を向上するため、編集用ソフトウェアを使用して編集された画像情報に基づいて簡単な操作で分版作業を行える分版用ソフトウェアも提案されている。
【０００５】
上記分版用ソフトウェアとしては、たとえば、プリンタドライバにより拡張子がｐｒｎのビットマップファイルに変換された画像情報に基づいて、構成要素毎の色の割り当てが可能であり、その割り当てられた色毎に分版処理を自動的に行うものが提案されている（非特許文献１参照）
【非特許文献１】理想科学工業株式会社ホームページ、[平成１６年８月２日掲載]、インターネット＜ＵＲＬ：http://www.riso.co.jp/catalog/paret.html＞
【発明の開示】
【発明が解決しようとする課題】
【０００６】
しかしながら、上記分版用ソフトウェアにおいては、たとえば、文字部分と画像部分とが重なりあっているような場合には、文字部分と画像部分とに別々に色を割り当てて分版することができなかった。
【０００７】
本発明は、上記事情に鑑み、たとえば、上記のように分版用ソフトウェアなどによって画像情報に対して分版処理を施すような場合において、構成要素同士が重なりあっているような場合でも構成要素毎に色を割り当てることができ、適切な分版処理を行うことができる画像情報処理方法および装置並びに画像情報処理プログラムを提供することを目的とするものである。
【課題を解決するための手段】
【０００８】
本発明の画像情報処理方法は、画像情報に基づいてその画像情報を構成する構成要素の属性を示す属性データを画像情報から抽出して属性データと上記構成要素を表す画像データとを別個に生成する属性抽出処理を画像情報に施すことを特徴とする。
【０００９】
また、上記画像情報処理方法においては、属性データと画像データとを、属性データと画像データとを用いて画像情報を再編集可能なものとして生成するようにすることができる。
【００１０】
また、属性データと画像データとを用いて画像データの構成要素毎に色を割り当て、その割り当てられた色毎に画像データを分ける分版処理を画像データに施すようにすることができる。
【００１１】
また、画像情報を、画像情報を編集する複数種類の画像編集手段から出力されたものとすることができる。
【００１２】
また、属性抽出処理を、画像情報が編集される画像編集手段のプラグインにおいて行うようにすることができる。
【００１３】
また、属性抽出処理を、画像情報の画像形成を行う画像形成手段のドライバにおいて行うようにすることができる。
【００１４】
また、複数種類の画像編集手段のうちの一部の画像編集手段から出力された画像情報にはその一部の画像編集手段のプラグインにおいて属性抽出処理を施すとともに、その一部以外の画像編集手段から出力された画像情報には画像情報の画像形成を行う画像形成手段のドライバにおいて属性抽出処理を施すようにすることができる。
【００１５】
また、属性データを、属性抽出処理においてファイル形式で抽出するようにすることができる。
【００１６】
また、画像データを、属性抽出処理においてファイル形式で生成するようにすることができる。
【００１７】
本発明の画像情報処理装置は、画像情報に基づいてその画像情報を構成する構成要素の属性を示す属性データを画像情報から抽出して属性データと上記構成要素を表す画像データとを別個に生成する属性抽出処理を画像情報に施す属性データ抽出手段を備えたことを特徴とする。
【００１８】
また、上記画像情報処理装置においては、属性データ抽出手段を、属性データと画像データとを、属性データと画像データとを用いて画像情報を再編集可能なものとして生成するものとすることができる。
【００１９】
また、属性データと画像データとを用いて画像データの構成要素毎の色の割当てを可能にする色割当手段と、色割当手段により割り当てられた色毎に画像データを分ける分版処理を画像データに施す分版処理手段とをさらに備えたものとすることができる。
【００２０】
また、画像情報を、画像情報を編集する複数種類の画像編集手段から出力されたものとすることができる。
【００２１】
また、属性データ抽出手段を、画像情報の画像形成を行う画像形成手段のドライバに設けるようにすることができる。
【００２２】
また、属性データ抽出手段を、画像情報が編集される画像編集手段のプラグインとすることができる。
【００２３】
また、属性データ抽出手段を、複数種類の画像編集手段のうちの一部の画像編集手段から出力された画像情報に属性抽出処理を施す第１の属性データ抽出部と一部以外の画像編集手段から出力された画像情報に属性抽出処理を施す第２の属性データ抽出部とを有するものとし、第１の属性データ抽出部を、上記一部の画像編集手段のプラグインとするとともに、第２の属性データ抽出部を、画像情報の画像形成を行う画像形成手段のドライバに設けるようにすることができる。
【００２４】
また、属性データを、属性抽出処理においてファイル形式で抽出するようにすることができる。
【００２５】
また、画像データを、属性抽出処理においてファイル形式で生成するようにすることができる。
【００２６】
本発明の画像情報処理プログラムは、画像情報に基づいてその画像情報を構成する構成要素の属性を示す属性データを画像情報から抽出して属性データと上記構成要素を表す画像データとを別個に生成する属性抽出処理を画像情報に施す手順をコンピュータに実行させることを特徴とする。
【００２７】
また、上記画像情報処理プログラムにおいては、属性抽出処理を、属性データと画像データとを、属性データと画像データとを用いて画像情報を再編集可能なものとして生成する処理とすることができる。
【００２８】
また、属性データと画像データとを用いて画像データの構成要素毎の色の割当てを可能にする手順と、上記割り当てられた色毎に画像データを分ける分版処理を画像データに施す手順とをさらにコンピュータに実行させるようにすることができる。
【００２９】
また、画像情報を、画像情報を編集する複数種類の画像編集手段から出力されたものとすることができる。
【００３０】
また、属性抽出処理を、コンピュータにおける画像情報の画像形成を行う画像形成手段のドライバで実行される処理とすることができる。
【００３１】
また、属性抽出処理を、コンピュータにおける画像情報が編集される画像編集手段のプラグインで実行される処理とすることができる。
【００３２】
また、属性抽出処理を、コンピュータにおける画像情報が編集される画像編集手段のプラグインと画像情報の画像形成を行う画像形成手段のドライバとで実行される処理とし、複数種類の画像編集手段のうちの一部の画像編集手段から出力された画像情報にはその一部の画像編集手段のプラグインにおいて属性抽出処理を施すとともに、上記一部以外の画像編集手段から出力された画像情報には画像情報の画像形成を行う画像形成手段のドライバにおいて属性抽出処理を施す手順をコンピュータに実行させるようにすることができる。
【００３３】
また、属性データを、属性抽出処理においてファイル形式で抽出するようにすることができる。
【００３４】
また、画像データを、属性抽出処理においてファイル形式で生成するようにすることができる。
【００３５】
ここで、上記「構成要素」とは、たとえば、文字、画像、または図形などのことをいう。
【００３６】
また、上記「属性データ」とは、上記画像情報における構成要素の位置と、その構成要素の文字、画像または図形などといった種類とを示すものである。
【００３７】
また、上記「構成要素毎の色の割当て」とは、必ずしも一色に限らず、一つの構成要素に対して複数色を割り当てるようにしてもよい。
【発明の効果】
【００３８】
本発明の画像情報処理方法および装置並びに画像情報処理プログラムによれば、画像情報を構成する構成要素の属性を示す属性データを画像情報から抽出してその属性データと上記構成要素を表す画像データとを別個に生成する属性抽出処理を画像情報に施すようにしたので、上記のような分版用ソフトウェアにおいて上記属性データと上記画像データを用いて画像情報を分版できるようにすれば、たとえ文字や画像の構成要素同士が重なりあっていたとしても、上記属性データと上記画像データとに基づいて構成要素毎の色の割当てを行うことができ、適切な分版処理を行うことができる。
【００３９】
また、画像情報を編集する複数種類の画像編集手段から出力された画像情報に上記属性抽出処理を施すようにした場合には、画像情報のデータ形式に関わらず上記属性抽出処理を施すことできるので、汎用性を持たせることができる。
【００４０】
また、複数種類の画像編集手段のうちの一部の画像編集手段から出力された画像情報にはその一部の画像編集手段のプラグインにおいて属性抽出処理を施すとともに、その一部以外の画像編集手段から出力された画像情報には画像情報の画像形成を行う画像形成手段のドライバにおいて属性抽出処理を施すようにした場合には、プラグインを設けることのできる画像編集手段とプラグインを設けることのできない画像編集手段との両方に対応して属性抽出処理を施すことができ、より汎用性を持たせることができる。
【００４１】
また、属性抽出処理を、画像情報の画像形成を行う画像形成手段のドライバにおいて行うようにした場合には、既存のドライバに多少の変更を施すだけで、上記のような効果を得ることができる。
【００４２】
また、属性抽出処理を、画像情報が編集される画像編集手段のプラグインにおいて行うようにするにした場合には、属性抽出処理を行うプログラムのサイズを小さくすることができる。
【００４３】
また、属性データや画像データをファイル形式で生成するようにした場合には、その取り扱いや管理が容易となる。
【発明を実施するための最良の形態】
【００４４】
以下、図面を参照しながら本発明の画像情報処理方法および装置並びに画像情報処理プログラムの一実施形態について説明する。本画像情報処理装置は、いわゆるパソコンであり、本発明の画像情報処理プログラムがインストールされている。
【００４５】
また、本画像情報処理装置には、図１に示すように、第１の編集用ソフトウェア１０として、主に文字の画像情報を編集可能な、たとえば、Microsoft Word（登録商標）のような文書作成アプリケーションと、第２の編集用ソフトウェア２０として、主に写真やイラストなどの画像情報を編集可能な、たとえば、Adobe photoshop（登録商標）のような画像作成アプリケーションとがインストールされている。
【００４６】
そして、上記第１の編集用ソフトウェア１０において編集された画像情報に属性抽出処理を施す第１の属性データ抽出部が設けられたプリンタドライバ３０と、第２の編集用ソフトウェア２０において編集された画像情報に属性抽出処理を施す第２の属性データ抽出部としてのプラグイン４０とがインストールされている。なお、本実施形態においては、上記第１の属性データ抽出部と第２の属性データ抽出部とから本発明の画像情報処理装置における属性データ抽出手段を構成している。
【００４７】
ここで、上記属性抽出処理とは、上記第１または第２の編集用ソフトウェア１０，２０により編集された画像情報に基づいてその画像情報を構成する構成要素の属性を示す属性データを画像情報から抽出し、その属性データと上記構成要素を表す画像データとを別個に生成する処理である。
【００４８】
そして、さらに、上記プリンタドライバ３０やプラグイン４０で抽出された属性データおよび画像データが入力され、これらのデータに基づいて上記画像情報の再編集が可能な分版用ソフトウェア５０がインストールされている。この分版用ソフトウェア５０は、上記プリンタドライバ３０やプラグイン４０で抽出された画像データに基づいて画像をモニタなどにより表示し、その表示された画像上において、上記属性データに基づいて所定の構成要素を選択可能とするとともに、その選択された構成要素について所定の色の割り当てを可能とするものである。そして、さらに、その割り当てられた色毎の画像データのファイルを自動的に生成し、本画像情報処理装置に接続された孔版印刷装置に出力するものである。
【００４９】
また、本画像情報処理装置は、上記属性データや画像データが一時的に記憶されるハードディスク６０を備えている。
【００５０】
次に、本画像情報処理装置の作用について説明する。
【００５１】
まず、第１の編集用ソフトウェア１０により編集された画像情報を分版用ソフトウェア５０において再編集可能な形式とする方法について説明する。
【００５２】
まず、本画像情報処理装置において、第１の編集用ソフトウェア１０により図２に示すような画像情報が編集される。そして、上記のように編集された画像情報を分版用ソフトウェア５０において再編集可能な形式とするには、まず、図３に示すように、第１の編集用ソフトウェア１０により表示されたウィンドウ画面のメニューバーにおけるFileメニューを選択し、そのFileメニューにおけるPrintメニューを選択する。すると、図４に示すようなウィンドウ画面が表示される。そして、このウィンドウ画面のPrinterの欄において、本画像情報処理装置が接続されるプリンタのプリンタドライバ（たとえば、図４におけるＲＩＳＯ Ｖ８０００ ＲＩＳＯＲＩＮＣ３）を選択するとともに、編集された画像情報をファイル形式で出力することを示すチェックボックス「Print to file」をチェックする。上記のような状態でOKボタンが押下されると、第１の編集用ソフトウェア１０からプリンタドライバ３０に画像情報が出力され、プリンタドライバ３０において画像情報から上記画像情報を構成する構成要素の属性を示す属性データが抽出され、その属性データからなるファイルと、上記構成要素を表す画像データからなるファイルとが生成される。そして、属性データからなるファイルはtest.atrとして、画像データからなるファイルはtest.prnとしてハードディスク６０に記録される。なお、このファイルtest.prnはラスターデータのファイルであり、test.atrはテキストの属性が付与された属性データファイルである。test.atrとtest.prnは、図５に示すように、所定のフォルダ（本実施形態においてはtemp dataのフォルダ）に記録される。
【００５３】
次に、第２の編集用ソフトウェア２０により編集された画像情報を再編集可能な形式とする方法について説明する。
【００５４】
まず、本画像情報処理装置において、第２の編集用ソフトウェア２０により図６に示すような画像情報が編集される。そして、上記のように編集された画像情報を分版用ソフトウェア５０において再編集可能な形式とするには、まず、図７に示すように、第２の編集用ソフトウェア２０により表示されたウィンドウ画面のメニューバーにおけるFileメニューを選択し、そのFileメニューにおけるAutomateの中のImage/Text Separationプラグイン４０を実行する。すると、図８に示すように、第２の編集用ソフトウェア２０で現在編集中の画像情報を構成する各レイヤー（図８におけるＭｏｎｄａｙ Ｔｕｅｓｄａｙ、Ｄａｍｉｅｎ Ｊａｐａｎｅｓｅ、ＤＡＭＩＥＮ、Ａｄｄｒｅｓｓ、Ｆｏｏｔｐｒｉｎｔ、Ｐｅｎｔａｇｏｎ、Ｒｅｃｔａｎｇｌｅ）のリストがコンボボックス７０内に表示される。ここで、表示されるレイヤーは、テキストの属性を有するものも画像の属性を有するものも両方含まれる。次に、このコンボボックス７０内に表示されたレイヤーのうち、再編集時に属性をテキストとして扱いたいものを選択し、Ａｄｄ Ｌａｙｅｒボタンをクリックすることにより、図９に示すようにレイヤーＤａｍｉｅｎがテキストレイヤーリスト７１に追加される。テキストの属性を付与したい全てのレイヤーに対してテキストレイヤーリスト７１に追加する処理が終わると、ＲＵＮボタンをクリックすることでレイヤーリスト７１内の全てのレイヤーにテキストの属性を付与した属性データファイルが生成され、ファイル名test.atrとしてハードディスク６０に記録される。上記の処理と並行して、Ｉｍａｇｅ/Ｔｅｘｔ Ｓｅｐａｒａｔｉｏｎプラグイン４０は、バックグラウンドでプリンタドライバ３０を呼び出し、編集中の画像情報に基づいた印刷用の画像データを生成させてそれを入手し、ファイル名test.prnとしてハードディスク６０に記録させる。ここで、ファイルtest.atrとtest.prnとは、図１１に示すように、所定のフォルダ（本実施形態においてはtemp dataのフォルダ）に記録される。なお、test.prnとtest.atrとは、合成された１ファイルとして出力されてもよい。また、このプラグイン４０ではtest.prnを出力せずに、プリンタドライバ３０の「ファイルに出力」オプションを選択して印刷指示を出すことによりtest.prnを得るようにしてもよい。
【００５５】
次に、上記のようにして作成された属性データのファイルと画像データのファイルとを使用し、画像情報の再編集をする方法について説明する。
【００５６】
まず、本画像情報処理装置にインストールされた分版用ソフトウェア５０が立ち上げられ、そのソフトウェア内で上記画像データのファイルtest.prnが開かれ、たとえば、図１２に示すような、ウィンドウ画面が表示される。このウィンドウ画面には、その中央に再編集を行う画像情報が表示され、その左側には上記画像情報の縮小画像が表示される。なお、画像情報が複数頁ある場合には、全ての頁の縮小画像が同時に表示され、いずれの縮小画像を中央に拡大して表示するか選択可能になっている。また、ウィンドウ画面の右側には、画像情報の再編集を行うため編集機能選択部が表示されている。
【００５７】
そして、たとえば、図１３に示すように、文字の一部がクリックされると、その文字の位置が記録され、その位置に対応する属性データのファイルtest.atrにおけるデータが参照される。
【００５８】
ここで、属性データのファイルtest.atrは、画像情報の構成要素の属性毎に割り当てられた異なる色情報を示す値を記憶したものである。具体的には、たとえば、文字については黒を示す値、画像については白を示す値を記憶するようにすればよい。
【００５９】
したがって、上記のように文字の一部がクリックされると、その位置にある色情報を示す値がチェックされ、チェックされた色情報を示す値と同じ値であり、かつ上記位置と連続する範囲が選択される。たとえば、図１４に示すように「都」という文字の一部がクリックされた場合には、上記連続する範囲は「者」の部分を除く部分のみになってしまうが、文字の場合にはクリックされた位置の値だけでなく、クリックされた位置から所定の範囲の位置までの値を確認し、それらと同じ値であるとともに連続する範囲が選択される。つまり、図１３に示すように「都」の文字がクリックされた場合には、「都」の文字の「者」の範囲だけでなくそれ以外の範囲も選択され、結局「都」の文字の全体が選択される。
【００６０】
上記のようにして色情報を示す値に基づいて構成要素の位置を認識するようにすることによって、たとえば、文字と画像とが重なりあっている場合においても明確にこれらを区別することができる。なお、属性データは、文字と画像に加えて、イラストも区別できるようにしてもよい。
【００６１】
上記のようにして文字の全体が選択されると、図１４に示すように、文字の枠線８０が表示される。そして、ウィンドウ画面の右側に表示された編集機能選択部を使用することにより、上記のようにして選択された文字のみの色を設定することができる。より具体的には、編集機能選択部において所定の印刷色の印刷ドラムの表示を選択することにより、その印刷色を文字に割り当てることができる。上記のように色の割り当てを行うことにより、より簡単な操作で色の割り当てを行うことができ、印刷前に実際に印刷される画像を確認することができる。
【００６２】
そして、上記と同様にして、その他の文字や画像やイラストなどの各構成要素が選択され、それぞれの構成要素に所定の色が割り当てられる。そして、色の割り当てが終了すると分版用ソフトウェア５０は再び１つのファイルとしてハードディスク６０に保存する。
【００６３】
そして、上記のように色の割当てが施された後に印刷する際には、上記のようにしてハードディスク６０に保存したファイルが読み出され、そのファイルに基づいて、割り当てられた色毎のｐｒｎファイルが生成される。そして、分版用ソフトウェア５０は、作業者により指定された色の順に従って上記ｐｒｎファイルを孔版印刷装置に出力する。
【００６４】
孔版印刷装置は、上記のようにして分版用ソフトウェア５０から出力されたｐｒｎファイルを受け付け、その受け付け順でそのｐｒｎファイルに応じた製版および印刷を行って多色印刷を行う。
【００６５】
上記実施形態の画像情報処理方法および装置並びに画像情報処理プログラムによれば、画像情報を構成する構成要素の属性を示す属性データを画像情報から抽出してその属性データと上記構成要素を表す画像データとを別個に生成する属性抽出処理を画像情報に施すようにしたので、分版用ソフトウェア５０において上記属性データと上記画像データとに基づいて、たとえば、構成要素同士が重なりあっているような場合でも構成要素毎に色を割り当てることができ、適切な分版処理を行うことができる
また、上記実施形態においては、第１の編集用ソフトウェア１０から出力された画像情報についてはプリンタドライバ３０において属性抽出処理を施し、第２の編集用ソフトウェア２０から出力された画像情報についてはプラグイン４０において属性抽出処理を施すようにしたが、必ずしもこのような形態に限らず、たとえば、第１の編集用ソフトウェア１０から出力された画像情報および第２の編集用ソフトウェア２０から出力された画像情報の両方についてプリンタドライバ３０またはプラグイン４０のいずれか一方で属性抽出処理を施すようにしてもよい。
【００６６】
また、上記実施形態においては、第１の編集用ソフトウェア１０をMicrosoft Word（登録商標）のような文書作成アプリケーションとし、第２の編集用ソフトウェア２０をAdobe photoshop（登録商標）のような画像作成アプリケーションとしたが、これらの以外の編集用ソフトウェアから出力された画像情報をプリンタドライバ３０またはプラグイン４０に入力して属性抽出処理を行うようにしてもよい。また、上記のような場合において、たとえば、プラグイン４０に入力された画像情報のデータ形式が、プラグイン４０において属性抽出処理を施すことができないようなデータ形式である場合には、その画像情報をプラグイン４０からプリンタドライバ３０に出力し、プリンタドライバ３０において属性抽出処理をその画像情報に施すようにしてもよい。
【図面の簡単な説明】
【００６７】
【図１】本発明の画像情報処理装置の一実施形態の概略構成図
【図２】図１に示す画像情報処理装置の第１の編集用ソフトウェアにおいて編集される画像情報の一例を示す図
【図３】図１に示す画像情報処理装置においてプリンタドライバを起動させる方法を説明するための図
【図４】プリンタドライバにおいて属性抽出処理を実行させる方法を説明するための図
【図５】所定のフォルダ内に記録された属性データファイルと画像データファイルを示す図
【図６】図１に示す画像情報処理装置の第２の編集用ソフトウェアにおいて編集される画像情報の一例を示す図
【図７】図１に示す画像情報処理装置においてプラグインを起動させる方法を説明する図
【図８】プラグインにおいて画像情報を構成する所定のレイヤーを選択する方法を説明する
【図９】図８において選択された所定のレイヤーが選択された後の画面を示す図
【図１０】図８において選択されたレイヤーにテキスト属性を付して属性データファイルを生成する方法を説明する図
【図１１】所定のフォルダ内に記録された属性データファイルと画像データファイルを示す図
【図１２】図１に示す画像情報処理装置の分版用ソフトウェアを立ち上げた際の画面を示す図
【図１３】分版用ソフトウェアにおいて所定の文字を選択する方法を説明する図
【図１４】分版用ソフトウェアにおいて所定の文字が選択された後に表示される枠線を示す図
【符号の説明】
【００６８】
１０    第１の編集用ソフトウェア
２０    第２の編集用ソフトウェア
３０    プリンタドライバ
４０    プラグイン
５０    分版用ソフトウェア
６０    ハードディスク
【図１】
2006050120.tif 000003
【図２】
2006050120.tif 000004
【図３】
2006050120.tif 000005
【図４】
2006050120.tif 000006
【図５】
2006050120.tif 000007
【図６】
2006050120.tif 000008
【図７】
2006050120.tif 000009
【図８】
2006050120.tif 000010
【図９】
2006050120.tif 000011
【図１０】
2006050120.tif 000012
【図１１】
2006050120.tif 000013
【図１２】
2006050120.tif 000014
【図１３】
2006050120.tif 000015
【図１４】
2006050120.tif 000016